(57)【要約】【課題】複数の蓄電ユニットを備える構成において、蓄電ユニットの損傷を抑制することができる蓄電装置を提供する。【解決手段】第一蓄電素子１０１を有する第一蓄電ユニット１１と、第二蓄電素子１０２を有し第一蓄電ユニット１１に載置される第二蓄電ユニット１２と、を備える蓄電装置１であって、第一蓄電ユニット１１は、第一方向において第一蓄電素子１０１を挟む位置に配置されて第一蓄電素子１０１を拘束する第一エンド部材３０１及び第二エンド部材３０２を有し、第一エンド部材３０１は、第一方向において第一蓄電素子１０１に対向する第一壁部３１０ａと、第一壁部３１０ａから第一方向に突出して配置される補強部３１０ｂであって、第二蓄電ユニット１２が載置される載置面（中央部載置面３６１、第一端部載置面３７１及び第二端部載置面３８１）を下方から支持する補強部３１０ｂと、を有する。【選択図】図５
2020167137.tif 000002
【特許請求の範囲】
【請求項１】
第一蓄電素子を有する第一蓄電ユニットと、第二蓄電素子を有し前記第一蓄電ユニットに載置される第二蓄電ユニットと、を備える蓄電装置であって、
前記第一蓄電ユニットは、
第一方向において前記第一蓄電素子を挟む位置に配置されて前記第一蓄電素子を拘束する第一エンド部材及び第二エンド部材を有し、
前記第一エンド部材は、
前記第一方向において前記第一蓄電素子に対向する第一壁部と、
前記第一壁部から前記第一方向に突出して配置される補強部であって、前記第二蓄電ユニットが載置される載置面を下方から支持する補強部と、を有する
蓄電装置。
【請求項２】
前記補強部は、前記第一方向と交差する第二方向に延びる第二壁部を有する
請求項１に記載の蓄電装置。
【請求項３】
前記補強部は、さらに、前記第一方向及び前記第二方向と交差する第三方向に延びる第三壁部を有する
請求項２に記載の蓄電装置。
【請求項４】
前記第一エンド部材は、さらに、前記載置面に配置され、前記第二蓄電ユニットと凹凸嵌合構造で接続される接続部を有する
請求項１〜３のいずれか１項に記載の蓄電装置。
【請求項５】
前記接続部は、前記載置面から突出する突出部である
請求項４に記載の蓄電装置。
【請求項６】
第一蓄電素子を有する第一蓄電ユニットと、第二蓄電素子を有し前記第一蓄電ユニットに載置される第二蓄電ユニットと、を備える蓄電装置であって、
前記第一蓄電ユニットは、
第一方向において前記第一蓄電素子を挟む位置に配置されて前記第一蓄電素子を拘束する第一エンド部材及び第二エンド部材を有し、
前記第一エンド部材は、前記第一方向と交差する第三方向の両端部に、前記第二蓄電ユニットが載置される第一載置面及び第二載置面を有し、
前記第一載置面は、前記第二載置面よりも面積が大きい
蓄電装置。
【請求項７】
前記第一エンド部材は、前記第一載置面と前記第二載置面との間に、前記第二蓄電ユニットと着脱自在に接続される接続部を有する
請求項６に記載の蓄電装置。
【請求項８】
さらに、前記第一蓄電ユニットに接続される電線を備え、
前記第一エンド部材は、前記第二載置面から凹んだ凹部を有し、
前記電線は、前記凹部内に配置される
請求項６または７に記載の蓄電装置。
【請求項９】
前記第二エンド部材は、前記第三方向の両端部に、前記第二蓄電ユニットが載置される第三載置面及び第四載置面を有し、
前記第三載置面及び前記第四載置面は、それぞれ、前記第一載置面及び前記第二載置面と前記第一方向において対向する位置に配置され、
前記第三載置面は、前記第四載置面よりも面積が小さい
請求項６〜８のいずれか１項に記載の蓄電装置。
【請求項１０】
前記第二蓄電ユニットは、前記第一方向において前記第二蓄電素子を挟む位置に配置されて前記第二蓄電素子を拘束するエンド部材であって、前記第一エンド部材に載置される第三エンド部材を有し、
前記第三エンド部材は、前記第一載置面及び前記第二載置面のそれぞれと対向する位置に、他の部材が載置される第五載置面及び第六載置面を有し、
前記第五載置面は、前記第六載置面よりも面積が大きい
請求項６〜９のいずれか１項に記載の蓄電装置。
【発明の詳細な説明】
【技術分野】
【０００１】
本発明は、蓄電素子を有する蓄電ユニットを複数備える蓄電装置に関する。
【背景技術】
【０００２】
従来、蓄電素子を有する蓄電ユニットを複数備える蓄電装置が広く知られている。例えば、特許文献１には、電池セル（蓄電素子）を含むバッテリ・モジュール（蓄電ユニット）を複数備え、当該複数のバッテリ・モジュールが隣接して配置されて互いに固定された構成のバッテリ・パック（蓄電装置）が開示されている。
【先行技術文献】
【特許文献】
【０００３】
【特許文献１】特開２０１１−１０８６５２号公報
【発明の概要】
【発明が解決しようとする課題】
【０００４】
上記従来の構成のように、蓄電装置が複数の蓄電ユニットを備えている場合、当該複数の蓄電ユニットを隣接して配置する際に、蓄電ユニットの損傷を抑制することが望まれる。
【０００５】
本発明は、本願発明者が上記課題に新たに着目することによってなされたものであり、複数の蓄電ユニットを備える構成において、蓄電ユニットの損傷を抑制することができる蓄電装置を提供することを目的とする。
【課題を解決するための手段】
【０００６】
上記目的を達成するために、本発明の一態様に係る蓄電装置は、第一蓄電素子を有する第一蓄電ユニットと、第二蓄電素子を有し前記第一蓄電ユニットに載置される第二蓄電ユニットと、を備える蓄電装置であって、前記第一蓄電ユニットは、第一方向において前記第一蓄電素子を挟む位置に配置されて前記第一蓄電素子を拘束する第一エンド部材及び第二エンド部材を有し、前記第一エンド部材は、前記第一方向において前記第一蓄電素子に対向する第一壁部と、前記第一壁部から前記第一方向に突出して配置される補強部であって、前記第二蓄電ユニットが載置される載置面を下方から支持する補強部と、を有する。
【０００７】
これによれば、蓄電装置において、第一蓄電ユニットが有する第一エンド部材は、第一方向において第一蓄電素子に対向する第一壁部から第一方向に突出し、第二蓄電ユニットが載置される載置面を下方から支持する補強部を有している。このように、第一エンド部材において、補強部は、第一壁部から突出した状態で、第二蓄電ユニットが載置される載置面を下方から支持するため、第一壁部を補強した状態で載置面を支持する構成である。これにより、第二蓄電ユニットが重量物であっても、第一エンド部材が変形等損傷するのを抑制することができるため、第一蓄電ユニットの損傷を抑制することができる。
【０００８】
また、前記補強部は、前記第一方向と交差する第二方向に延びる第二壁部を有することにしてもよい。
【０００９】
これによれば、第一エンド部材において、補強部は、第二方向に延びる第二壁部を有しているため、材料使用量の低減及び軽量化を図りつつ、簡易な構成で載置面を支持することができる。
【００１０】
また、前記補強部は、さらに、前記第一方向及び前記第二方向と交差する第三方向に延びる第三壁部を有することにしてもよい。
【００１１】
これによれば、第一エンド部材において、補強部は、第三方向に延びる第三壁部も有しているため、補強部の強度を向上させることができ、強固に載置面を支持することができる。これにより、第一エンド部材が変形等損傷するのをより抑制することができるため、第一蓄電ユニットの損傷をより抑制することができる。
【００１２】
また、前記第一エンド部材は、さらに、前記載置面に配置され、前記第二蓄電ユニットと凹凸嵌合構造で接続される接続部を有することにしてもよい。
【００１３】
これによれば、第一蓄電ユニットが有する第一エンド部材は、第二蓄電ユニットが載置される載置面に、第二蓄電ユニットと凹凸嵌合構造で接続される接続部を有している。このように、第一蓄電ユニットにおいて、第一エンド部材が、第二蓄電ユニットとの接続部を有していることで、第一エンド部材に対して第二蓄電ユニットの位置がずれるのを抑制することができる。これにより、第一エンド部材にかかる重量のバランスがずれるのを抑制することができるため、第一エンド部材が変形等損傷するのを抑制することができ、第一蓄電ユニットの損傷を抑制することができる。
【００１４】
また、前記接続部は、前記載置面から突出する突出部であることにしてもよい。
【００１５】
これによれば、第一蓄電ユニットにおいて、第一エンド部材の接続部は、第二蓄電ユニットが載置される載置面から突出する突出部である。このように、第一エンド部材が有する載置面に突出部を形成することで、簡易な構成で、第一エンド部材に第二蓄電ユニットを容易に接続することができる。
【００１６】
また、本発明の他の一態様に係る蓄電装置は、第一蓄電素子を有する第一蓄電ユニットと、第二蓄電素子を有し前記第一蓄電ユニットに載置される第二蓄電ユニットと、を備える蓄電装置であって、前記第一蓄電ユニットは、第一方向において前記第一蓄電素子を挟む位置に配置されて前記第一蓄電素子を拘束する第一エンド部材及び第二エンド部材を有し、前記第一エンド部材は、前記第一方向と交差する第三方向の両端部に、前記第二蓄電ユニットが載置される第一載置面及び第二載置面を有し、前記第一載置面は、前記第二載置面よりも面積が大きい。
【００１７】
これによれば、蓄電装置において、第一蓄電ユニットが有する第一エンド部材は、両端部に第二蓄電ユニットが載置される第一載置面及び第二載置面を有しており、第一載置面は、第二載置面よりも面積が大きい。このように、第一蓄電ユニットに第二蓄電ユニット等を載置する構成において、第一エンド部材の両端部の第一載置面及び第二載置面を、第一載置面が第二載置面よりも面積が大きいように形成する。これにより、第二蓄電ユニット等の第一蓄電ユニットに載置される部材の重量が均一でない場合に、当該第二蓄電ユニット等の重量が大きい部位が面積の大きい第一載置面側に載置されるようにすることで、重量のバランスを均一化することができる。したがって、第一エンド部材が変形等損傷するのを抑制することができるため、第一蓄電ユニットの損傷を抑制することができる。
【００１８】
また、前記第一エンド部材は、前記第一載置面と前記第二載置面との間に、前記第二蓄電ユニットと着脱自在に接続される接続部を有することにしてもよい。
【００１９】
これによれば、第一蓄電ユニットにおいて、第一エンド部材が、第一載置面と第二載置面との間に第二蓄電ユニットとの接続部を有していることで、第一エンド部材に対して第二蓄電ユニットの位置がずれるのを抑制することができる。これにより、第一エンド部材にかかる重量のバランスがずれるのを抑制することができるため、第一エンド部材が変形等損傷するのを抑制することができ、第一蓄電ユニットの損傷を抑制することができる。
【００２０】
また、さらに、前記第一蓄電ユニットに接続される電線を備え、前記第一エンド部材は、前記第二載置面から凹んだ凹部を有し、前記電線は、前記凹部内に配置されることにしてもよい。
【００２１】
これによれば、第一蓄電ユニットにおいて、第一エンド部材は、第二載置面から凹んだ凹部を有しており、電線が当該凹部内に配置される。つまり、第二載置面は第一載置面よりも面積が小さいため、第二載置面側に比較的大きな凹部を形成することができる。このため、当該凹部内に、第一蓄電ユニットに接続される電線（電源線、通信線等）を配置することで、電線の位置規制や省スペース化を図ることができる。
【００２２】
また、前記第二エンド部材は、前記第三方向の両端部に、前記第二蓄電ユニットが載置される第三載置面及び第四載置面を有し、前記第三載置面及び前記第四載置面は、それぞれ、前記第一載置面及び前記第二載置面と前記第一方向において対向する位置に配置され、前記第三載置面は、前記第四載置面よりも面積が小さいことにしてもよい。
【００２３】
これによれば、第一蓄電ユニットにおいて、第二エンド部材は、第二蓄電ユニットが載置される第三載置面及び第四載置面を、第一載置面及び第二載置面と対向する位置に有しており、第三載置面は第四載置面よりも面積が小さい。このように、第一エンド部材の第一載置面及び第二載置面と対向する位置に、第二エンド部材の第三載置面及び第四載置面を配置し、第三載置面が第四載置面よりも面積が小さいように形成する。つまり、面積が大きい第一載置面と第四載置面とが対角線上の位置に配置され、面積が小さい第二載置面と第三載置面とが対角線上の位置に配置される。これにより、第一蓄電ユニットにかかる重量のバランスを均一化することができるため、第一エンド部材及び第二エンド部材が変形等損傷するのを抑制することができ、第一蓄電ユニットの損傷を抑制することができる。
【００２４】
また、前記第二蓄電ユニットは、前記第一方向において前記第二蓄電素子を挟む位置に配置されて前記第二蓄電素子を拘束するエンド部材であって、前記第一エンド部材に載置される第三エンド部材を有し、前記第三エンド部材は、前記第一載置面及び前記第二載置面のそれぞれと対向する位置に、他の部材が載置される第五載置面及び第六載置面を有し、前記第五載置面は、前記第六載置面よりも面積が大きいことにしてもよい。
【００２５】
これによれば、第二蓄電ユニットは、第一エンド部材に載置される第三エンド部材を有し、第三エンド部材は、第一載置面及び第二載置面のそれぞれと対向する第五載置面及び第六載置面を有し、第五載置面は、第六載置面よりも面積が大きい。このように、第二蓄電ユニットの第三エンド部材において、第一載置面に対向する第五載置面を、第二載置面に対向する第六載置面よりも面積が大きいように形成する。これにより、第二蓄電ユニットにおいても、重量のバランスを均一化することができるため、第三エンド部材が変形等損傷するのを抑制することができ、第二蓄電ユニットの損傷を抑制することができる。
【００２６】
なお、本発明は、このような蓄電装置として実現することができるだけでなく、蓄電装置が備える蓄電ユニット（第一蓄電ユニット、第二蓄電ユニット等）、または、蓄電ユニットが備えるエンド部材（第一エンド部材、第二エンド部材、第三エンド部材等）としても実現することができる。
【発明の効果】
【００２７】
本発明における蓄電装置によれば、複数の蓄電ユニットを備える構成において、蓄電ユニットの損傷を抑制することができる。
【図面の簡単な説明】
【００２８】
【図１】実施の形態に係る蓄電装置の外観を示す斜視図である。
【図２】実施の形態に係る蓄電装置を複数の蓄電ユニットに分解した場合の構成を示す分解斜視図である。
【図３】実施の形態に係る蓄電ユニットを分解した場合の各構成要素を示す分解斜視図である。
【図４】実施の形態に係るエンド部材（第一エンド部材及び第二エンド部材）の構成を示す斜視図である。
【図５】実施の形態に係る２つの蓄電ユニットのエンド部材同士が接続される構成を示す斜視図である。
【図６】実施の形態に係るエンド部材への電線の配線の構成を示す斜視図である。
【図７】実施の形態に係るスペーサが他の蓄電ユニットを支持する構成を示す断面図である。
【発明を実施するための形態】
【００２９】
以下、図面を参照しながら、本発明の実施の形態に係る蓄電装置について説明する。なお、以下で説明する実施の形態は、包括的または具体的な例を示すものである。以下の実施の形態で示される数値、形状、材料、構成要素、構成要素の配置位置及び接続形態、製造工程、製造工程の順序などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００３０】
また、以下の説明及び図面中において、１つの蓄電ユニットにおける複数の蓄電素子の並び方向、複数のスペーサの並び方向、一対のエンド部材の並び方向、蓄電素子とスペーサとエンド部材との並び方向、１つの蓄電素子の容器における一対の長側面の対向方向、または、蓄電素子、スペーサ若しくはエンド部材の厚み方向を、Ｘ軸方向と定義する。１つの蓄電ユニットにおける一対のサイド部材の並び方向、蓄電素子とサイド部材との並び方向、１つの蓄電素子における一対の電極端子の並び方向、または、１つの蓄電素子の容器における一対の短側面の対向方向を、Ｙ軸方向と定義する。複数の蓄電ユニットの並び方向、蓄電ユニットと電気機器との並び方向、１つの蓄電ユニットにおける蓄電素子とバスバー保持部材とバスバーとの並び方向、１つの蓄電素子の容器における容器本体と蓋との並び方向、または、上下方向を、Ｚ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。
【００３１】
また、以下の説明において、例えば、Ｘ軸プラス方向とは、Ｘ軸の矢印方向を示し、Ｘ軸マイナス方向とは、Ｘ軸プラス方向とは反対方向を示す。Ｙ軸方向及びＺ軸方向についても同様である。さらに、平行及び直交などの、相対的な方向または姿勢を示す表現は、厳密には、その方向または姿勢ではない場合も含む。例えば、２つの方向が直交している、とは、当該２つの方向が完全に直交していることを意味するだけでなく、実質的に直交していること、すなわち、例えば数％程度の差異を含むことも意味する。さらに、以下では、Ｘ軸方向を第一方向、Ｚ軸方向を第二方向、Ｙ軸方向を第三方向とも呼ぶ場合がある。
【００３２】
（実施の形態）
［１  蓄電装置１の全般的な説明］
まず、蓄電装置１の構成について、説明する。図１は、本実施の形態に係る蓄電装置１の外観を示す斜視図である。図２は、本実施の形態に係る蓄電装置１を複数の蓄電ユニット１０に分解した場合の構成を示す分解斜視図である。
【００３３】
蓄電装置１は、外部からの電気を充電し、また外部へ電気を放電することができる装置であり、本実施の形態では、略直方体形状を有している。例えば、蓄電装置１は、電力貯蔵用途や電源用途等に使用される電池モジュール（組電池）である。具体的には、蓄電装置１は、例えば、電気自動車（ＥＶ）、ハイブリッド電気自動車（ＨＥＶ）、プラグインハイブリッド電気自動車（ＰＨＥＶ）若しくはガソリン自動車等の自動車、自動二輪車、ウォータークラフト、スノーモービル、農業機械、建設機械、または、電車、モノレール若しくはリニアモーターカー等の電気鉄道用の鉄道車両等の移動体の駆動用またはエンジン始動用等のバッテリ等として用いられる。また、蓄電装置１は、家庭用または発電機用等に使用される定置用のバッテリ等としても用いることができる。
【００３４】
図１及び図２に示すように、蓄電装置１は、３つの蓄電ユニット１０（第一蓄電ユニット１１、第二蓄電ユニット１２及び第三蓄電ユニット１３）と、電気機器２０と、を備えている。また、蓄電装置１は、これら蓄電ユニット１０等を収容する外装体（モジュールケース）、及び、外部からの電気を充電し、また外部へ電気を放電する外部端子等も備えているが、これらの図示及び詳細な説明は省略する。
【００３５】
蓄電ユニット１０は、蓄電装置１を構成する略直方体形状（箱形）の単位モジュール（組電池）であり、Ｚ軸方向に、３つの蓄電ユニット１０である第一蓄電ユニット１１、第二蓄電ユニット１２及び第三蓄電ユニット１３が連結されて配置されている。つまり、第一蓄電ユニット１１のＺ軸プラス方向側に第二蓄電ユニット１２が配置され、第一蓄電ユニット１１のＺ軸マイナス方向側に第三蓄電ユニット１３が配置されている。具体的には、第一蓄電ユニット１１は、第二蓄電ユニット１２が載置されて第二蓄電ユニット１２と接続（連結）され、かつ、第三蓄電ユニット１３に載置されて第三蓄電ユニット１３と接続（連結）されている。
【００３６】
例えば、これら３つの蓄電ユニット１０のうちの隣り合う蓄電ユニット１０同士が電気的に接続されることで、３つの蓄電ユニット１０が直列接続されている。なお、これら３つの蓄電ユニット１０は、並列接続されていてもよいし、その接続形態は特に限定されない。この３つの蓄電ユニット１０（第一蓄電ユニット１１、第二蓄電ユニット１２及び第三蓄電ユニット１３）の詳細な構成についての説明は、後述する。
【００３７】
電気機器２０は、蓄電ユニット１０の状態を監視したり蓄電ユニット１０の充放電を制御したりするための電気品であり、第二蓄電ユニット１２のＺ軸プラス方向側に配置されている。具体的には、電気機器２０は、第二蓄電ユニット１２に載置されて、第二蓄電ユニット１２に接続（固定）されている。
【００３８】
電気機器２０は、載置台２１と、電気部品２２と、基板２３と、を有している。載置台２１は、電気部品２２及び基板２３等が載置されて、上面にこれらが固定される板状部材である。載置台２１は、例えば、アルミニウム、アルミニウム合金、ステンレス鋼、鉄、メッキ鋼板等の金属製の材料、または、樹脂材料等で形成されている。電気部品２２は、ブレーカ、リレー、シャント抵抗等の電気部品であり、Ｘ軸プラス方向かつＹ軸マイナス方向側の端部に、大きなサイズ（大きな重量）の電気部品２２が配置されている。基板２３は、３つの蓄電ユニット１０の充電状態及び放電状態等を集中監視するための電子部品等（図示せず）が実装された回路基板である。基板２３には、コネクタ２４が設けられており、コネクタ２４を介して、蓄電ユニット１０に接続された電線（電圧計測用の電線、及び、温度計測用の電線等）と接続されている。このように、３つの蓄電ユニット１０のそれぞれが基板等の電気機器を個別に有するのではなく、蓄電装置１が１つの電気機器２０を有している構成であるので、省スペース化を図ることができている。
【００３９】
［２  蓄電ユニット１０の構成の説明］
次に、図３も用いて、蓄電ユニット１０の構成について、詳細に説明する。なお、３つの蓄電ユニット１０（第一蓄電ユニット１１、第二蓄電ユニット１２及び第三蓄電ユニット１３）は、全て同様の構成を有しているため、以下では、１つの蓄電ユニット１０について説明する。図３は、本実施の形態に係る蓄電ユニット１０を分解した場合の各構成要素を示す分解斜視図である。
【００４０】
図２及び図３に示すように、蓄電ユニット１０は、複数の蓄電素子１００と、複数のスペーサ２００と、一対のエンド部材３００と、一対のサイド部材４００と、バスバー保持部材５００と、複数のバスバー６００と、カバー部材７００と、を備えている。
【００４１】
蓄電素子１００は、電気を充電し、また、電気を放電することのできる二次電池（単電池）であり、より具体的には、リチウムイオン二次電池などの非水電解質二次電池である。蓄電素子１００は、扁平な直方体形状（角形）の形状を有しており、スペーサ２００に隣接して配置されている。つまり、複数の蓄電素子１００のそれぞれが、複数のスペーサ２００のそれぞれと交互に配置され、Ｘ軸方向に並べられている。本実施の形態では、２０個の蓄電素子１００のそれぞれを挟む位置に、２１個のスペーサ２００がそれぞれ配置されている。
【００４２】
具体的には、蓄電素子１００は、容器１１０と、一対（正極側及び負極側）の電極端子１２０と、を備えている。また、容器１１０の内方には、電極体、一対の集電体、一対のガスケット、及び、電解液（非水電解質）等が収容されているが、これらの図示は省略する。なお、当該電解液としては、蓄電素子１００の性能を損なうものでなければその種類に特に制限はなく、様々なものを選択することができる。また、集電体の側方等にスペーサが配置されていてもよいし、容器１１０の外面を覆う絶縁シートが配置されていてもよい。
【００４３】
容器１１０は、開口が形成された容器本体と、容器本体の開口を閉塞する蓋体とを有する直方体形状（角形）の容器である。容器本体は、容器１１０の本体部を構成する矩形筒状で底を備える部材であり、Ｙ軸方向両側の側面に一対の長側面部を有し、Ｘ軸方向両側の側面に一対の短側面部を有し、Ｚ軸マイナス方向側に底面部を有している。蓋体は、容器１１０の蓋部を構成する矩形状の板状部材であり、容器本体のＺ軸プラス方向側に配置されている。蓋体には、容器１１０内方の圧力が上昇した場合に当該圧力を開放するガス排出弁、及び、容器１１０内方に電解液を注液するための注液部等も設けられている。このような構成により、容器１１０は、電極体等を容器本体の内方に収容後、容器本体と蓋体とが溶接等によって接合されることにより、内部が密封される構造となっている。なお、容器１１０の材質は特に限定されないが、例えばステンレス鋼、アルミニウム、アルミニウム合金、鉄、メッキ鋼板など溶接可能（接合可能）な金属であるのが好ましい。
【００４４】
なお、蓄電素子１００の個数は２０個には限定されず、２０個以外の複数個であってもよいし、１個であってもよい。また、蓄電素子１００の形状は、特に限定されず、直方体形状以外の多角柱形状、円柱形状、楕円柱形状、長円形柱形状等、どのような形状であってもよいし、ラミネート型の蓄電素子とすることもできる。また、蓄電素子１００は、非水電解質二次電池には限定されず、非水電解質二次電池以外の二次電池であってもよいし、キャパシタであってもよい。また、蓄電素子１００は、二次電池ではなく、使用者が充電をしなくても蓄えられている電気を使用できる一次電池であってもよい。さらに、蓄電素子１００は、固体電解質を用いた電池であってもよい。
【００４５】
また、以下では、第一蓄電ユニット１１が有する蓄電素子１００を第一蓄電素子１０１（図７参照）とも呼び、第二蓄電ユニット１２が有する蓄電素子１００を第二蓄電素子１０２（図７参照）とも呼び、第三蓄電ユニット１３が有する蓄電素子１００を第三蓄電素子１０３（図示せず）とも呼ぶ。
【００４６】
電極端子１２０は、容器１１０の蓋体に配置される蓄電素子１００の端子（正極端子及び負極端子）であり、集電体を介して、電極体の正極板及び負極板に電気的に接続されている。つまり、電極端子１２０は、電極体に蓄えられている電気を蓄電素子１００の外部空間に導出し、また、電極体に電気を蓄えるために蓄電素子１００の内部空間に電気を導入するための金属製の部材である。電極端子１２０は、アルミニウム、アルミニウム合金、銅、銅合金などで形成されている。
【００４７】
電極体は、正極板と負極板とセパレータとが積層されて形成された蓄電要素（発電要素）である。電極体が有する正極板は、アルミニウムまたはアルミニウム合金などの金属からなる長尺帯状の集電箔である正極基材層上に正極活物質層が形成されたものである。また、負極板は、銅または銅合金などの金属からなる長尺帯状の集電箔である負極基材層上に負極活物質層が形成されたものである。また、正極活物質層に用いられる正極活物質、負極活物質層に用いられる負極活物質としては、リチウムイオンを吸蔵放出可能なものであれば、適宜公知の材料を使用できる。また、集電体は、電極端子１２０と電極体とに電気的に接続される導電性と剛性とを備えた部材（正極集電体及び負極集電体）である。なお、正極集電体は、正極板の正極基材層と同様、アルミニウムまたはアルミニウム合金などで形成され、負極集電体は、負極板の負極基材層と同様、銅または銅合金などで形成されている。ガスケットは、蓋体と電極端子１２０及び集電体との間に配置され、蓋体と電極端子１２０及び集電体との間の絶縁性及び気密性を確保するための絶縁部材である。
【００４８】
スペーサ２００は、蓄電素子１００の側方（Ｘ軸プラス方向またはＸ軸マイナス方向）に配置され、蓄電素子１００と他の部材とを絶縁する矩形状かつ板状のスペーサである。具体的には、スペーサ２００は、隣り合う２つの蓄電素子１００の間、及び、端部の蓄電素子１００とエンド部材３００との間に配置され、当該２つの蓄電素子１００の間、及び、端部の蓄電素子１００とエンド部材３００との間を絶縁する。なお、本実施の形態では、２０個の蓄電素子１００に対応して２１個のスペーサ２００が配置されているが、蓄電素子１００の個数が２０個以外の場合には、スペーサ２００の個数も蓄電素子１００の個数に応じて適宜変更される。
【００４９】
スペーサ２００は、例えば、ポリカーボネート（ＰＣ）、ポリプロピレン（ＰＰ）、ポリエチレン（ＰＥ）、ポリスチレン（ＰＳ）、ポリフェニレンサルファイド樹脂（ＰＰＳ）、ポリフェニレンエーテル（ＰＰＥ（変性ＰＰＥを含む））、ポリエチレンテレフタラート（ＰＥＴ）、ポリブチレンテレフタレート（ＰＢＴ）、ポリエーテルエーテルケトン（ＰＥＥＫ）、テトラフルオロエチレン・パーフルオロアルキルビニルエーテル（ＰＦＡ）、ポリテトラフルオロエチレン（ＰＴＦＥ）、ポリエーテルサルフォン（ＰＥＳ）、ＡＢＳ樹脂、または、それらの複合材料等の絶縁性の樹脂材料等で形成されている。
【００５０】
エンド部材３００及びサイド部材４００は、複数の蓄電素子１００の並び方向（Ｘ軸方向）において、蓄電素子１００を外方から圧迫（拘束）する拘束部材である。つまり、エンド部材３００及びサイド部材４００は、複数の蓄電素子１００を当該並び方向の両側から挟み込むことで、複数の蓄電素子１００に含まれるそれぞれの蓄電素子１００を当該並び方向の両側から圧迫（拘束）する。
【００５１】
具体的には、エンド部材３００は、複数の蓄電素子１００のＸ軸方向両側に配置され、複数の蓄電素子１００を、当該複数の蓄電素子１００の並び方向（Ｘ軸方向）の両側から挟み込んで保持する扁平なブロック状のエンドプレート（挟持部材）である。エンド部材３００は、強度確保の観点等から、例えば、アルミニウム、アルミニウム合金、ステンレス鋼、鉄、メッキ鋼板等の金属製の材料で形成されている。なお、エンド部材３００の材質は特に限定されず、例えば強度の高い絶縁性の材料で形成されていてもよいし、絶縁処理が施されていたりしていてもよい。また、エンド部材３００は、ブロック状のエンドプレートではなく、板状のエンドプレート等であることにしてもよい。
【００５２】
ここで、一対のエンド部材３００のうち、Ｘ軸プラス方向側のエンド部材３００を、第一エンド部材３０１とも呼び、Ｘ軸マイナス方向側のエンド部材３００を、第二エンド部材３０２とも呼ぶ。つまり、第一エンド部材３０１及び第二エンド部材３０２は、Ｘ軸方向（第一方向）において蓄電素子１００を挟む位置に配置されて蓄電素子１００を拘束する部材である。これら一対のエンド部材３００（第一エンド部材３０１及び第二エンド部材３０２）の構成の詳細な説明については、後述する。
【００５３】
サイド部材４００は、両端がエンド部材３００に取り付けられて、複数の蓄電素子１００を拘束する長尺状かつ平板状のサイドプレート（拘束バー）である。つまり、サイド部材４００は、複数の蓄電素子１００及び複数のスペーサ２００を跨ぐようにＸ軸方向に延設されて配置され、当該複数の蓄電素子１００等に対してこれらの並び方向（Ｘ軸方向）における拘束力を付与する。本実施の形態では、当該複数の蓄電素子１００等のＹ軸方向両側方に、一対のサイド部材４００が配置されている。そして、当該一対のサイド部材４００のそれぞれが、Ｘ軸方向両端部において、一対のエンド部材３００のＹ軸方向端部に取り付けられている。これにより、一対のサイド部材４００は、当該複数の蓄電素子１００等をＸ軸方向の両側及びＹ軸方向の両側から挟み込んで拘束する。
【００５４】
また、サイド部材４００は、Ｚ軸方向に並ぶ複数の接合部材４１０によって、エンド部材３００に接合されている。本実施の形態では、接合部材４１０は、サイド部材４００を貫通してエンド部材３００に締結されるボルトである。つまり、エンド部材３００には、接合部材４１０が挿入されるネジ孔が形成されており、当該ネジ孔に接合部材４１０が螺合することで、サイド部材４００がエンド部材３００に接合される。また、サイド部材４００は、エンド部材３００と同様に、強度確保の観点等から、例えば、アルミニウム、アルミニウム合金、ステンレス鋼、鉄、メッキ鋼板等の金属製の材料で形成されているが、例えば強度の高い絶縁性の部材で形成されていてもよいし、絶縁処理が施されていたりしていてもよい。また、サイド部材４００は、板状のサイドプレートではなく、ブロック状または棒状の部材等であることにしてもよい。
【００５５】
バスバー保持部材５００は、バスバー６００を保持し、バスバー６００と他の導電部材との絶縁、及び、バスバー６００の位置規制を行うことができる矩形状かつ板状の部材（バスバープレート、バスバーフレーム）である。バスバー保持部材５００は、例えば、ＰＣ、ＰＰ、ＰＥ等のスペーサ２００と同様の絶縁性の樹脂材料等で形成されている。また、バスバー保持部材５００のＸ軸プラス方向側の端部には、後述の電線４０が挿通される開口部５１０が形成されている。開口部５１０は、バスバー保持部材５００のＸ軸プラス方向側の端部を、Ｚ軸マイナス方向に矩形状に切り欠いた切り欠きである。なお、開口部５１０の形状は、特に限定されず、どのような形状に切り欠いた切り欠きであってもよいし、切り欠きではなく貫通孔であってもよい。
【００５６】
バスバー６００は、複数の蓄電素子１００上に配置され、複数の蓄電素子１００の電極端子１２０同士を電気的に接続する導電性の板状部材である。バスバー６００は、例えば、アルミニウム、アルミニウム合金、銅、銅合金等の金属製の導電部材で形成されている。本実施の形態では、バスバー６００は、隣り合う蓄電素子１００の正極端子と負極端子とを順に接続することで、複数の蓄電素子１００を直列に接続している。なお、蓄電素子１００の接続形態は特に限定されず、いずれかの蓄電素子１００が並列接続されていることにしてもよい。また、端部に配置されるバスバー６００（図３のバスバー６１０）には、電線４０が接続され、電線４０は、上述の開口部５１０を通って、他の蓄電ユニット１０、または、蓄電装置１の外部端子に接続される。この電線４０の配線等についての詳細な説明は、後述する。
【００５７】
カバー部材７００は、バスバー保持部材５００及びバスバー６００のＺ軸プラス方向側に配置される矩形状かつ板状の部材である。具体的には、カバー部材７００は、バスバー６００の上方を覆うように配置され、バスバー６００と他の導電部材とを絶縁する絶縁カバーである。つまり、カバー部材７００は、バスバー保持部材５００とでバスバー６００を挟み込んで、バスバー６００が他の導電部材と接触するのを回避する。カバー部材７００は、例えば、ＰＣ、ＰＰ、ＰＥ等のスペーサ２００やバスバー保持部材５００等と同様の絶縁性の樹脂材料等で形成されている。
【００５８】
［３  エンド部材３００の構成の説明］
次に、エンド部材３００（第一エンド部材３０１及び第二エンド部材３０２）の構成について、詳細に説明する。図４は、本実施の形態に係るエンド部材３００（第一エンド部材３０１及び第二エンド部材３０２）の構成を示す斜視図である。具体的には、図４の（ａ）は、図３における第一エンド部材３０１の構成、または、第二エンド部材３０２をＺ軸まわりに１８０°回転させた場合の構成を示す斜視図である。図４の（ｂ）は、図４の（ａ）のエンド部材３００を下方（Ｚ軸マイナス方向）から見た場合の構成を示す斜視図である。なお、第一エンド部材３０１と第二エンド部材３０２とは、Ｚ軸まわりに１８０°回転させた場合に同じ構成を有するため、同じ図で示している。
【００５９】
図４に示すように、エンド部材３００は、本体部３１０と、２つの第一接続部３２０とを有している。また、本体部３１０には、接続部間凹部３３０と、第一端部凹部３４０と、第二端部凹部３５０とが形成されており、これにより、本体部３１０は、２つの中央部載置面３６０と、第一端部載置面３７０と、第二端部載置面３８０とを有する構成となっている。また、本体部３１０には、２つの第二接続部３９０が形成されている。
【００６０】
本体部３１０は、エンド部材３００の本体を構成する部位であり、本実施の形態では、Ｙ軸方向に長くＸ軸方向に薄い直方体形状を有している。第一接続部３２０は、他の蓄電ユニット１０が有するエンド部材３００と接続される部位である。具体的には、第一接続部３２０は、中央部載置面３６０に配置され、他の蓄電ユニット１０と凹凸嵌合構造で着脱自在に接続される。本実施の形態では、第一接続部３２０は、本体部３１０からＺ軸プラス方向に突出する円柱形状を有しており、２つの第一接続部３２０がＹ軸方向に並んで配置されている。つまり、第一接続部３２０は、第一端部載置面３７０と第二端部載置面３８０との間に配置されて、中央部載置面３６０から突出する突出部である。
【００６１】
接続部間凹部３３０は、２つの第一接続部３２０の間に配置される凹部である。具体的には、接続部間凹部３３０は、本体部３１０のＺ軸プラス方向側の端部のＹ軸方向中央部が、Ｚ軸マイナス方向に向けて矩形状に凹んだ凹部である。つまり、接続部間凹部３３０は、２つの中央部載置面３６０の間に配置されて、当該２つの中央部載置面３６０から凹んだ凹部である。言い換えると、接続部間凹部３３０は、第一端部載置面３７０と第二端部載置面３８０との間における、中央位置に配置される凹部である。
【００６２】
第一端部凹部３４０は、Ｙ軸マイナス方向側の第一接続部３２０のＹ軸マイナス方向側に配置される凹部である。具体的には、第一端部凹部３４０は、本体部３１０のＺ軸プラス方向側の端部のＹ軸マイナス方向側の部位が、Ｚ軸マイナス方向に向けて矩形状に凹んだ凹部である。つまり、第一端部凹部３４０は、中央部載置面３６０及び第一端部載置面３７０の間に配置されて、中央部載置面３６０及び第一端部載置面３７０から凹んだ凹部である。言い換えると、第一端部凹部３４０は、第一端部載置面３７０と第二端部載置面３８０との間における、第一端部載置面３７０側に配置される凹部である。
【００６３】
第二端部凹部３５０は、Ｙ軸プラス方向側の第一接続部３２０のＹ軸プラス方向側に配置される凹部である。具体的には、第二端部凹部３５０は、本体部３１０のＺ軸プラス方向側の端部のＹ軸プラス方向側の部位が、Ｚ軸マイナス方向に向けて矩形状に凹んだ凹部である。つまり、第二端部凹部３５０は、中央部載置面３６０及び第二端部載置面３８０の間に配置されて、中央部載置面３６０及び第二端部載置面３８０から凹んだ凹部である。言い換えると、第二端部凹部３５０は、第一端部載置面３７０と第二端部載置面３８０との間における、第二端部載置面３８０側に配置される凹部である。
【００６４】
中央部載置面３６０、第一端部載置面３７０及び第二端部載置面３８０は、本体部３１０のＺ軸プラス方向側の面（上面）であり、他の蓄電ユニット１０が載置される平坦な（平面状の）部位である。具体的には、中央部載置面３６０は、接続部間凹部３３０のＹ軸方向両側、つまり、接続部間凹部３３０と第一端部凹部３４０及び第二端部凹部３５０との間に配置され、かつ、第一接続部３２０が配置される部位である。第一端部載置面３７０は、第一端部凹部３４０のＹ軸マイナス方向側に配置される部位である。第二端部載置面３８０は、第二端部凹部３５０のＹ軸プラス方向側に配置される部位である。つまり、第一端部載置面３７０及び第二端部載置面３８０は、Ｙ軸方向（第一方向と交差する第三方向）の両端部に配置される部位である。
【００６５】
ここで、第一端部載置面３７０は、第二端部載置面３８０よりも面積が大きく形成されている。本実施の形態では、第一端部載置面３７０は、第二端部載置面３８０とＸ軸方向における幅は同等であるが、第二端部載置面３８０よりもＹ軸方向における幅が大きく形成されている。これにより、第二端部凹部３５０は、第一端部凹部３４０よりも、Ｙ軸方向における幅が大きく形成されている。
【００６６】
第二接続部３９０は、他の蓄電ユニット１０が有するエンド部材３００と接続される部位である。具体的には、第二接続部３９０は、本体部３１０のＺ軸マイナス方向側の端部に形成された円形状の凹部であり、２つの第二接続部３９０がＹ軸方向に並んで配置されている。さらに具体的には、この２つの第二接続部３９０は、Ｚ軸方向において、第一接続部３２０と対向する位置に配置されている。これにより、第二接続部３９０には、他の蓄電ユニット１０が有するエンド部材３００の第一接続部３２０が挿入されて、第一接続部３２０と第二接続部３９０とが嵌合し、蓄電ユニット１０同士が接続される。このようにして、蓄電ユニット１０同士が、凹凸嵌合構造で着脱自在に接続される。
【００６７】
また、本体部３１０は、第一壁部３１０ａと、補強部３１０ｂとを有している。第一壁部３１０ａは、図３にも示すように、Ｘ軸方向（第一方向）において蓄電素子１００に対向する壁部である。つまり、第一壁部３１０ａは、Ｘ軸方向において蓄電素子１００を挟み込むＹＺ平面に平行な矩形状かつ平板状の壁部であり、Ｘ軸方向においてスペーサ２００に対向し、かつ当接して配置される。
【００６８】
補強部３１０ｂは、第一壁部３１０ａからＸ軸方向（第一方向）に突出して配置され、他の蓄電ユニット１０が載置される載置面である中央部載置面３６０、第一端部載置面３７０及び第二端部載置面３８０を下方（Ｚ軸マイナス方向）から支持する部位である。言い換えれば、補強部３１０ｂは、第一壁部３１０ａと当該載置面とを繋ぐ部位であり、第一壁部３１０ａからＸ軸方向に突出することで第一壁部３１０ａを補強して、当該載置面を下方から支持する。ここで、補強部３１０ｂは、第二壁部３１０ｃと第三壁部３１０ｄとを有している。
【００６９】
第二壁部３１０ｃは、Ｚ軸方向（第一方向と交差する第二方向）に延びる壁部である。つまり、第二壁部３１０ｃは、上記載置面（中央部載置面３６０、第一端部載置面３７０及び第二端部載置面３８０）のＺ軸マイナス方向側において、第一壁部３１０ａからＸ軸プラス方向に突出し、かつ、Ｚ軸方向に延びる複数の平板状の縦壁である。具体的には、第二壁部３１０ｃは、Ｘ軸方向において、当該載置面のＸ軸方向の長さと同じ長さ突出し、Ｚ軸方向において、第一壁部３１０ａの一端（当該載置面の直下）から他端までに亘って、連続的または断続的に延設されている。
【００７０】
第三壁部３１０ｄは、Ｙ軸方向（第一方向及び第二方向と交差する第三方向）に延びる壁部である。つまり、第三壁部３１０ｄは、上記載置面（中央部載置面３６０、第一端部載置面３７０及び第二端部載置面３８０）のＺ軸マイナス方向側において、第一壁部３１０ａからＸ軸プラス方向に突出し、かつ、Ｙ軸方向に延びる複数の平板状の横壁である。具体的には、第三壁部３１０ｄは、Ｘ軸方向において、当該載置面のＸ軸方向の長さと同じ長さ突出し、Ｙ軸方向において、第一壁部３１０ａの一端から他端までに亘って、連続的または断続的に延設されている。
【００７１】
このような構成により、補強部３１０ｂは、Ｘ軸方向において上記載置面（中央部載置面３６０、第一端部載置面３７０及び第二端部載置面３８０）と同じ幅を有し、かつ、縦壁及び横壁を有する格子形状の部位となっている。これにより、補強部３１０ｂは、第一壁部３１０ａを補強して、当該載置面を下方から強固に支持する。また、当該載置面は、蓄電素子１００よりもＺ軸プラス方向に配置される。つまり、本体部３１０（補強部３１０ｂ）は、Ｚ軸方向において、蓄電素子１００よりも長さが長い（高さが高い）。これにより、当該載置面に他の蓄電ユニット１０が載置された場合に、他の蓄電ユニット１０の荷重をエンド部材３００で受けることで、蓄電素子１００に荷重がかかるのを抑制している。
【００７２】
ここで、上述の通り、本実施の形態では、部品を共通化して製造コストの低減等を図るために、第一エンド部材３０１と第二エンド部材３０２とは、同じ形状を有している。つまり、第一エンド部材３０１及び第二エンド部材３０２は、エンド部材３００と同じ形状を有しており、エンド部材３００が有する各構成要素を有している。
【００７３】
このため、第一エンド部材３０１の本体部３１０、第一接続部３２０、接続部間凹部３３０、第一端部凹部３４０、第二端部凹部３５０、中央部載置面３６０、第一端部載置面３７０、第二端部載置面３８０及び第二接続部３９０を、本体部３１１、第一接続部３２１、接続部間凹部３３１、第一端部凹部３４１、第二端部凹部３５１、中央部載置面３６１、第一端部載置面３７１、第二端部載置面３８１及び第二接続部３９１とも呼ぶ。また、第二エンド部材３０２の本体部３１０、第一接続部３２０、接続部間凹部３３０、第一端部凹部３４０、第二端部凹部３５０、中央部載置面３６０、第一端部載置面３７０、第二端部載置面３８０及び第二接続部３９０を、本体部３１２、第一接続部３２２、接続部間凹部３３２、第一端部凹部３４２、第二端部凹部３５２、中央部載置面３６２、第一端部載置面３７２、第二端部載置面３８２及び第二接続部３９２とも呼ぶ。
【００７４】
つまり、第一エンド部材３０１の本体部３１１において、第一壁部３１０ａは、Ｘ軸方向において第一蓄電素子１０１に対向する。また、補強部３１０ｂは、第二蓄電ユニット１２が載置される載置面である中央部載置面３６１、第一端部載置面３７１及び第二端部載置面３８１を下方から支持する。第二エンド部材３０２についても同様である。
【００７５】
以上のような構成により、エンド部材３００は、第一端部載置面３７０側の方が第二端部載置面３８０側よりも重量が重くなる（重量に偏りが生じる）こととなる。また、このような構成のエンド部材３００は、例えば、鋳造（ダイカスト）によって作製することができる。
【００７６】
また、蓄電ユニット１０を、Ｚ軸方向から見て４区画に分けた場合、Ｘ軸プラス方向側かつＹ軸マイナス方向側の区画に第一エンド部材３０１の第一端部載置面３７１が配置され、Ｘ軸プラス方向側かつＹ軸プラス方向側の区画に第一エンド部材３０１の第二端部載置面３８１が配置される。さらに、Ｚ軸方向から見て、Ｘ軸マイナス方向側かつＹ軸プラス方向側の区画に第二エンド部材３０２の第一端部載置面３７２が配置され、Ｘ軸マイナス方向側かつＹ軸マイナス方向側の区画に第二エンド部材３０２の第二端部載置面３８２が配置される。なお、上述の大きなサイズ（大きな重量）の電気部品２２は、Ｘ軸プラス方向側かつＹ軸マイナス方向側の区画に配置される。
【００７７】
［４  エンド部材３００の接続構成及び電線４０の配線の説明］
次に、エンド部材３００の接続構成及び電線４０の配線について、詳細に説明する。図５は、本実施の形態に係る２つの蓄電ユニット１０のエンド部材３００同士が接続される構成を示す斜視図である。具体的には、図５は、第一蓄電ユニット１１及び第二蓄電ユニット１２のエンド部材３００同士が接続される構成を示す斜視図である。図６は、本実施の形態に係るエンド部材３００（例えば第一エンド部材３０１）への電線４０の配線の構成を示す斜視図である。
【００７８】
図５に示すように、第一蓄電ユニット１１のエンド部材３００に、第二蓄電ユニット１２のエンド部材３００が載置されて接続される。なお、以下では、第二蓄電ユニット１２が有する第一エンド部材３０１及び第二エンド部材３０２を、第三エンド部材３０３及び第四エンド部材３０４とも呼ぶ。つまり、第三エンド部材３０３は、第一蓄電ユニット１１の第一エンド部材３０１に載置されて接続され、第四エンド部材３０４は、第一蓄電ユニット１１の第二エンド部材３０２に載置されて接続される。
【００７９】
このように、第一蓄電ユニット１１の第一エンド部材３０１の補強部３１０ｂは、第二蓄電ユニット１２の第三エンド部材３０３が載置される載置面である中央部載置面３６１、第一端部載置面３７１及び第二端部載置面３８１を、下方（Ｚ軸マイナス方向）から支持する。同様に、第一蓄電ユニット１１の第二エンド部材３０２の補強部３１０ｂ（図示せず）は、第二蓄電ユニット１２の第四エンド部材３０４が載置される載置面である中央部載置面３６２、第一端部載置面３７２及び第二端部載置面３８２を、下方（Ｚ軸マイナス方向）から支持する。
【００８０】
また、第三エンド部材３０３の第一接続部３２０、第一端部載置面３７０、第二端部載置面３８０及び第二接続部３９０を、第一接続部３２３、第一端部載置面３７３、第二端部載置面３８３及び第二接続部３９３とも呼ぶ。また、第四エンド部材３０４の第一接続部３２０、第一端部載置面３７０、第二端部載置面３８０及び第二接続部３９０を、第一接続部３２４、第一端部載置面３７４、第二端部載置面３８４及び第二接続部３９４とも呼ぶ。つまり、第三エンド部材３０３の第一接続部３２３、第一端部載置面３７３、第二端部載置面３８３及び第二接続部３９３は、それぞれ、第一蓄電ユニット１１の第一エンド部材３０１の第一接続部３２１、第一端部載置面３７１、第二端部載置面３８１及び第二接続部３９１と対向する位置（Ｚ軸方向から見て重なる位置）に配置される。第四エンド部材３０４についても同様である。
【００８１】
そして、第二蓄電ユニット１２の第三エンド部材３０３の２つの第二接続部３９３に、第一蓄電ユニット１１の第一エンド部材３０１の２つの第一接続部３２１が挿入されて、当該２つの第一接続部３２１と当該２つの第二接続部３９３とが嵌合する。これにより、第一蓄電ユニット１１の第一エンド部材３０１、及び、第二蓄電ユニット１２の第三エンド部材３０３が、凹凸嵌合構造で着脱自在に接続される。また、第一蓄電ユニット１１の第一エンド部材３０１の中央部載置面３６１、第一端部載置面３７１及び第二端部載置面３８１に、第二蓄電ユニット１２の第三エンド部材３０３が載置される。第一蓄電ユニット１１の第二エンド部材３０２、及び、第二蓄電ユニット１２の第四エンド部材３０４についても同様である。このようにして、第一蓄電ユニット１１に第二蓄電ユニット１２が載置された状態で、第一蓄電ユニット１１及び第二蓄電ユニット１２が接続される。第一蓄電ユニット１１及び第三蓄電ユニット１３についても同様である。
【００８２】
また、図１に示したように、第二蓄電ユニット１２の第三エンド部材３０３の第一端部載置面３７３及び第二端部載置面３８３、並びに、第四エンド部材３０４の第一端部載置面３７４及び第二端部載置面３８４には、電気機器２０が載置される。ここで、電気機器２０は、Ｘ軸プラス方向かつＹ軸マイナス方向側の端部に、大きなサイズ（大きな重量）の電気部品２２を有している。つまり、第三エンド部材３０３において、第一端部載置面３７３に、第二端部載置面３８３よりも大きな力がかかる構成となっている。
【００８３】
なお、第一蓄電ユニット１１における、第一エンド部材３０１の第一端部載置面３７１及び第二端部載置面３８１は、第一載置面及び第二載置面の一例であり、第二エンド部材３０２の第二端部載置面３８２及び第一端部載置面３７２は、第三載置面及び第四載置面の一例である。つまり、第一蓄電ユニット１１の第一エンド部材３０１は、Ｙ軸方向（第三方向）の両端部に、第一載置面及び第二載置面を有し、第一載置面は、第二載置面よりも面積が大きい。また、第一蓄電ユニット１１の第二エンド部材３０２は、Ｙ軸方向（第三方向）の両端部に、第三載置面及び第四載置面を有している。第三載置面及び第四載置面は、Ｘ軸方向から見て、第一載置面及び第二載置面のそれぞれと重なる位置（Ｚ軸方向において同じ位置、かつ、Ｙ軸方向において少なくとも一部が重複する位置）に配置される。つまり、第三載置面及び第四載置面は、それぞれ、第一載置面及び第二載置面とＸ軸方向（第一方向）において対向する位置に配置され、第三載置面は、第四載置面よりも面積が小さい。
【００８４】
また、第二蓄電ユニット１２における、第三エンド部材３０３の第一端部載置面３７３及び第二端部載置面３８３は、第五載置面及び第六載置面の一例である。第五載置面及び第六載置面は、Ｚ軸方向から見て、第一載置面及び第二載置面のそれぞれと重なる位置（Ｘ軸方向及びＹ軸方向において同じ位置）に配置される。つまり、第三エンド部材３０３は、Ｙ軸方向（第三方向）の両端部であって、第一載置面及び第二載置面のそれぞれと対向する位置に、他の部材（電気機器２０）が載置される第五載置面及び第六載置面を有し、第五載置面は、第六載置面よりも面積が大きい。
【００８５】
また、図６に示すように、蓄電装置１は、電線４０（電線４０ａ、４０ｂ及び４０ｃ）と、電線４０に接続されるコネクタ３０（コネクタ３０ａ及び３０ｂ）と、を備えている。本実施の形態では、電線４０は、蓄電装置１が備える蓄電素子１００の充放電による電流（主電流）が流れる電源線である。つまり、電線４０は、それぞれの蓄電ユニット１０が有する蓄電素子１００に接続される電源線である。例えば、電線４０は、第一蓄電ユニット１１が有する第一蓄電素子１０１に、バスバー６１０を介して接続されている。具体的には、電線４０ａは、一の第一蓄電素子１０１の正極端子に接続され、電線４０ｂは、他の第一蓄電素子１０１の負極端子に接続されている。
【００８６】
このような構成において、第一蓄電ユニット１１の第一蓄電素子１０１に接続された電線４０ａ、４０ｂは、バスバー保持部材５００の開口部５１０を通り、かつ、第一エンド部材３０１の第二端部凹部３５１内に配置されて、コネクタ３０ａに接続される。そして、コネクタ３０ｂから出た電線４０ｃは、他の蓄電ユニット１０や、蓄電装置１の外部端子（図示せず）に接続される。
【００８７】
［５  スペーサ２００による支持構成の説明］
次に、スペーサ２００が他の蓄電ユニット１０を支持する構成について、詳細に説明する。図７は、本実施の形態に係るスペーサ２００が他の蓄電ユニット１０を支持する構成を示す断面図である。具体的には、図７は、第一蓄電ユニット１１のスペーサ２００が第二蓄電ユニット１２を支持する構成を、Ｘ軸プラス方向から見た場合の断面図を示す。なお、図７では、説明の便宜のため、第一蓄電ユニット１１及び第二蓄電ユニット１２の蓄電素子１００、スペーサ２００、バスバー保持部材５００及びカバー部材７００を図示し、その他の構成は省略する。
【００８８】
図７に示すように、蓄電ユニット１０において、スペーサ２００は、蓄電素子１００のＹ軸方向両側（容器１１０の両側の短側面）及びＺ軸方向両側（容器１１０の蓋体の上面及び底面）を覆うように配置されている。つまり、スペーサ２００は、Ｚ軸方向において、蓄電素子１００よりも長さが長く（高さが高く）形成されている。また、スペーサ２００のＺ軸プラス方向側の内面と、蓄電素子１００のＺ軸プラス方向側の外面（容器１１０の蓋体の上面）との間には、空間Ｓが形成されている。
【００８９】
また、スペーサ２００のＺ軸プラス方向側にバスバー保持部材５００が配置されて、スペーサ２００上にバスバー保持部材５００が載置されている。さらに、バスバー保持部材５００のＺ軸プラス方向側にカバー部材７００が配置されて、バスバー保持部材５００上にカバー部材７００が載置されている。そして、Ｚ軸マイナス方向側（下方）の蓄電ユニット１０のカバー部材７００上に、Ｚ軸プラス方向側（上方）の蓄電ユニット１０のスペーサ２００が載置されている。
【００９０】
つまり、第一蓄電ユニット１１において、スペーサ２０１は、第一蓄電素子１０１のＹ軸方向両側及びＺ軸方向両側を覆うように配置され、スペーサ２０１上にバスバー保持部材５０１が載置され、バスバー保持部材５０１上にカバー部材７０１が載置されている。そして、第一蓄電ユニット１１のカバー部材７０１上に、第二蓄電ユニット１２のスペーサ２０２が載置されている。なお、第一蓄電ユニット１１のスペーサ２００、バスバー保持部材５００及びカバー部材７００を、スペーサ２０１、バスバー保持部材５０１及びカバー部材７０１とも呼び、第二蓄電ユニット１２のスペーサ２００、バスバー保持部材５００及びカバー部材７００を、スペーサ２０２、バスバー保持部材５０２及びカバー部材７０２とも呼ぶ。
【００９１】
これにより、第一蓄電ユニット１１のスペーサ２０１によって、第二蓄電ユニット１２の荷重を受ける構成となっている。また、スペーサ２０１の上側の内面と第一蓄電素子１０１の容器１１０の上面との間には、空間Ｓが形成されているため、スペーサ２０１が受けた荷重が第一蓄電素子１０１にかかりにくいような構成となっている。つまり、第一蓄電ユニット１１に第二蓄電ユニット１２が載置された際に、第一蓄電ユニット１１のエンド部材３００（第一エンド部材３０１及び第二エンド部材３０２）と複数のスペーサ２０１とで、第二蓄電ユニット１２の荷重を受ける。これにより、第一蓄電素子１０１に荷重がかかりにくいように構成されている。第三蓄電ユニット１３に第一蓄電ユニット１１が載置される場合についても同様である。
【００９２】
また、スペーサ２００、バスバー保持部材５００及びカバー部材７００が積層構造を有していることで、バスバー６００、電線４０等の主回路配線、及び、制御用配線等を配置する空間を確保しやすくなっている。
【００９３】
［６  効果の説明］
以上のように、本実施の形態に係る蓄電装置１によれば、第一蓄電ユニット１１が有する第一エンド部材３０１は、Ｘ軸方向（第一方向）において第一蓄電素子１０１に対向する第一壁部３１０ａからＸ軸方向に突出する補強部３１０ｂを有している。補強部３１０ｂは、第二蓄電ユニット１２が載置される載置面（中央部載置面３６１、第一端部載置面３７１及び第二端部載置面３８１）を、下方から支持する。このように、第一エンド部材３０１において、補強部３１０ｂは、第一壁部３１０ａから突出した状態で、第二蓄電ユニット１２が載置される当該載置面を下方から支持するため、第一壁部３１０ａを補強した状態で当該載置面を支持する構成である。これにより、第二蓄電ユニット１２が重量物であっても、第一エンド部材３０１が変形等損傷するのを抑制することができるため、第一蓄電ユニット１１の損傷を抑制することができる。
【００９４】
発明者が上記構成を見出した経緯は、以下の通りである。車両用や産業用電源装置向けの蓄電装置では、複数の蓄電ユニットを組み合わせて蓄電装置が構成されるが、当該蓄電装置においては、省スペース化が求められている。このため、蓄電装置をできるだけコンパクトな構成にしたいとの要望がある。ここで、蓄電ユニットを直積みすることにより、棚板等のスペースをなくすことができる。しかし、蓄電素子は重量物であるため、蓄電素子群となる蓄電ユニットは、さらに重量物となる。このため、蓄電ユニットを直積みするために、強力に蓄電素子群を拘束し、積載に耐えうるエンド部材が必要であり、ダイカスト製のエンド部材を使用するのが好ましい。そして、本願発明者は、ダイカスト製のエンド部材に補強部３１０ｂを設けて、補強部３１０ｂで、第二蓄電ユニット１２が載置される載置面を下方から支持することを考案した。これにより、第一蓄電ユニット１１の損傷を抑制することが可能となった。
【００９５】
また、上記構成により、例えばラックに棚板を設けて棚板上に蓄電ユニット１０を載置していくような必要がなく、複数の蓄電ユニット１０を積み上げることができる。これにより、部品点数低減及び工数低減等による製造コストの低減及び生産性の向上を図ることができる。
【００９６】
また、第一エンド部材３０１において、補強部３１０ｂは、Ｚ軸方向（第二方向）に延びる第二壁部３１０ｃを有しているため、材料使用量の低減及び軽量化を図りつつ、簡易な構成で当該載置面を支持することができる。
【００９７】
また、第一エンド部材３０１において、補強部３１０ｂは、Ｙ軸方向（第三方向）に延びる第三壁部３１０ｄも有しているため、補強部３１０ｂの強度を向上させることができ、強固に当該載置面を支持することができる。これにより、第一エンド部材３０１が変形等損傷するのをより抑制することができるため、第一蓄電ユニット１１の損傷をより抑制することができる。
【００９８】
また、第一蓄電ユニット１１が有する第一エンド部材３０１は、第二蓄電ユニット１２が載置される当該載置面に、第二蓄電ユニット１２と凹凸嵌合構造で接続される第一接続部３２１を有している。このように、第一蓄電ユニット１１において、第一エンド部材３０１が、第二蓄電ユニット１２との第一接続部３２１を有していることで、第一エンド部材３０１に対して第二蓄電ユニット１２の位置がずれるのを抑制することができる。これにより、第一エンド部材３０１にかかる重量のバランスがずれるのを抑制することができるため、第一エンド部材３０１が変形等損傷するのを抑制することができ、第一蓄電ユニット１１の損傷を抑制することができる。
【００９９】
また、第一接続部３２１は、第二蓄電ユニット１２と凹凸嵌合構造で接続されるため、第一蓄電ユニット１１に対して第二蓄電ユニット１２を容易に着脱することができる。これにより、蓄電装置１の製造時またはメンテナンス時等において、作業性を向上することができる。さらに、エンド部材３００は、凸部である第一接続部３２０と凹部である第二接続部３９０とを一体的に有しているため、エンド部材３００同士の接続のための別部材（別体の接続部材）を設ける必要がなく、部品点数を低減することができる。
【０１００】
また、第一蓄電ユニット１１において、第一エンド部材３０１の第一接続部３２１は、第二蓄電ユニット１２が載置される当該載置面から突出する突出部である。このように、第一エンド部材３０１が有する当該載置面に突出部を形成することで、簡易な構成で、第一エンド部材３０１に第二蓄電ユニット１２を容易に接続することができる。
【０１０１】
また、第一蓄電ユニット１１が有する第一エンド部材３０１は、両端部に第二蓄電ユニット１２が載置される第一載置面（第一端部載置面３７１）及び第二載置面（第二端部載置面３８１）を有している。そして、第一載置面は、第二載置面よりも面積が大きい。このように、第一蓄電ユニット１１に第二蓄電ユニット１２等を載置する構成において、第一エンド部材３０１の両端部の第一載置面及び第二載置面を、第一載置面が第二載置面よりも面積が大きいように形成する。これにより、第二蓄電ユニット１２等の第一蓄電ユニット１１に載置される部材の重量が均一でない場合に、当該第二蓄電ユニット１２等の重量が大きい部位が面積の大きい第一載置面側に載置されるようにすることで、重量のバランスを均一化することができる。したがって、第一エンド部材３０１が変形等損傷するのを抑制することができるため、第一蓄電ユニット１１の損傷を抑制することができる。
【０１０２】
また、第一蓄電ユニット１１において、第一エンド部材３０１が、第一載置面と第二載置面との間に第二蓄電ユニット１２との第一接続部３２１を有していることで、第一エンド部材３０１に対して第二蓄電ユニット１２の位置がずれるのを抑制することができる。これにより、第一エンド部材３０１にかかる重量のバランスがずれるのを抑制することができるため、第一エンド部材３０１が変形等損傷するのを抑制することができ、第一蓄電ユニット１１の損傷を抑制すことができる。また、第一接続部３２１は、第二蓄電ユニット１２と着脱自在に接続されるため、第一蓄電ユニット１１に対して第二蓄電ユニット１２を容易に着脱することができる。これにより、蓄電装置１の製造時またはメンテナンス時等において、作業性を向上することができる。
【０１０３】
また、第一蓄電ユニット１１において、第一エンド部材３０１は、第二載置面から凹んだ第二端部凹部３５１を有しており、電線４０が第二端部凹部３５１内に配置される。つまり、第二載置面は第一載置面よりも面積が小さいため、第二載置面側に比較的大きな凹部（本実施の形態では、第一載置面側の第一端部凹部３４１よりも幅が大きな凹部）である第二端部凹部３５１を形成することができる。このため、第二端部凹部３５１内に、第一蓄電ユニット１１に接続される電線４０を配置することで、電線４０の位置規制や省スペース化を図ることができる。これにより、幅が大きな第二端部凹部３５１内の空間を有効利用することができる。つまり、接続部間凹部３３１、第一端部凹部３４１及び第二端部凹部３５１は、第一蓄電ユニット１１内部での作業を行なったり、電線を通したりするために使用できるが、特に、第二端部凹部３５１は、上述の通り大きな凹部となるため、電線４０を通すのに好ましい。
【０１０４】
また、第一蓄電ユニット１１において、第二エンド部材３０２は、第二蓄電ユニット１２が載置される第三載置面（第二端部載置面３８２）及び第四載置面（第一端部載置面３７２）を、第一載置面及び第二載置面と対向する位置に有しており、第三載置面は第四載置面よりも面積が小さい。このように、第一エンド部材３０１の第一載置面及び第二載置面と対向する位置に、第二エンド部材３０２の第三載置面及び第四載置面を配置し、第三載置面が第四載置面よりも面積が小さいように形成する。つまり、面積が大きい第一載置面と第四載置面とが対角線上の位置に配置され、面積が小さい第二載置面と第三載置面とが対角線上の位置に配置される。これにより、第一蓄電ユニット１１にかかる重量のバランスを均一化することができるため、第一エンド部材３０１及び第二エンド部材３０２が変形等損傷するのを抑制することができ、第一蓄電ユニット１１の損傷を抑制することができる。
【０１０５】
また、第二蓄電ユニット１２は、第一エンド部材３０１に載置される第三エンド部材３０３を有している。そして、第三エンド部材３０３は、第一載置面及び第二載置面のそれぞれと対向する第五載置面（第一端部載置面３７３）及び第六載置面（第二端部載置面３８３）を有し、第五載置面は、第六載置面よりも面積が大きい。このように、第二蓄電ユニット１２の第三エンド部材３０３において、第一載置面に対向する第五載置面を、第二載置面に対向する第六載置面よりも面積が大きいように形成する。これにより、第二蓄電ユニット１２においても、重量のバランスを均一化することができるため、第三エンド部材３０３が変形等損傷するのを抑制することができ、第二蓄電ユニット１２の損傷を抑制することができる。
【０１０６】
なお、上述した第一蓄電ユニット１１の第一エンド部材３０１についての効果は、第二エンド部材３０２についても同様に適用することができる。また、第二蓄電ユニット１２及び第三蓄電ユニット１３についても、同様に適用することができる。
【０１０７】
［７  変形例の説明］
以上、本発明の実施の形態に係る蓄電装置１について説明したが、本発明は、この実施の形態に限定されるものではない。つまり、今回開示された実施の形態は、全ての点で例示であって制限的なものではなく、本発明の範囲は、特許請求の範囲によって示され、特許請求の範囲と均等の意味及び範囲内での全ての変更が含まれる。
【０１０８】
例えば、上記実施の形態では、エンド部材３００において、本体部３１０の補強部３１０ｂは、平板状の縦壁である第二壁部３１０ｃと、平板状の横壁である第三壁部３１０ｄと、を有していることとした。しかし、補強部３１０ｂは、第一壁部３１０ａからＸ軸方向（第一方向）に突出して配置され、他の蓄電ユニット１０が載置される載置面（中央部載置面３６０、第一端部載置面３７０または第二端部載置面３８０）を下方から支持する部位であれば、その形状は限定されない。例えば、補強部３１０ｂは、第二壁部３１０ｃに代えて、棒状、または、直方体形状若しくは三角柱形状等のブロック状等の、平板状（壁状）以外の形状の部位を有していてもよい。第三壁部３１０ｄについても同様である。
【０１０９】
また、上記実施の形態では、エンド部材３００において、本体部３１０の補強部３１０ｂは、他の蓄電ユニット１０が載置される載置面である２つの中央部載置面３６０、第一端部載置面３７０及び第二端部載置面３８０の全てを下方から支持する構成とした。しかし、補強部３１０ｂは、２つの中央部載置面３６０、第一端部載置面３７０及び第二端部載置面３８０のうちの少なくとも１つの載置面を下方から支持する構成であればよい。つまり、補強部３１０ｂは、２つの中央部載置面３６０、第一端部載置面３７０及び第二端部載置面３８０のうちの少なくとも１つの載置面の下方に配置されていればよい。
【０１１０】
また、上記実施の形態では、エンド部材３００において、第一端部載置面３７０は、第二端部載置面３８０と比べて、Ｘ軸方向における幅は同等であるがＹ軸方向における幅が大きく形成されることで、面積が大きく形成されていることとした。しかし、第一端部載置面３７０は、第二端部載置面３８０よりも、Ｘ軸方向の幅も大きく形成されていてもよい。また、第一端部載置面３７０は、第二端部載置面３８０よりも、Ｘ軸方向の幅が小さくＹ軸方向における幅が大きい、または、Ｘ軸方向の幅が大きくＹ軸方向における幅が同等若しくは小さいことにより、面積が大きく形成されていることにしてもよい。
【０１１１】
また、上記実施の形態では、エンド部材３００において、第一端部載置面３７０と第二端部載置面３８０との間に、２つの第一接続部３２０が配置されていることとした。しかし、エンド部材３００に設けられる第一接続部３２０の個数及び配置位置は特に限定されず、また、エンド部材３００に第一接続部３２０が設けられていない構成でもよい。
【０１１２】
また、上記実施の形態では、第一接続部３２０が凸部、かつ、第二接続部３９０が凹部であり、第一接続部３２０と第二接続部３９０とが嵌合して、エンド部材３００同士が凹凸嵌合構造で着脱自在に接続されることとした。しかし、第二接続部３９０は、凹部ではなくて貫通孔であってもよい。また、第一接続部３２０が凹部、かつ、第二接続部３９０が凸部であって、凹凸嵌合構造で着脱自在に接続される構成でもよい。また、第一接続部３２０及び第二接続部３９０は、凹凸嵌合構造ではなく、係合、または、マジックテープ（登録商標）若しくはベルクロ（登録商標）テープ等と称される着脱自在に接着される面ファスナー構造によって接続される構成でもよい。また、第一接続部３２０及び第二接続部３９０は、着脱自在ではなく、ボルト締結、接着剤または両面テープ等による接着、溶接、かしめ接合等によって接続される構成でもよい。
【０１１３】
また、上記実施の形態では、エンド部材３００において、本体部３１０に接続部間凹部３３０、第一端部凹部３４０及び第二端部凹部３５０が形成され、第二端部凹部３５０は、第一端部凹部３４０よりも、Ｙ軸方向における幅が大きく形成されていることとした。しかし、第二端部凹部３５０と第一端部凹部３４０とは、どのような幅であってもよく、また、本体部３１０には、これらの凹部は形成されていないことにしてもよいし、凹部の代わりに貫通孔が形成されていることにしてもよい。
【０１１４】
また、上記実施の形態では、電線４０は電源線であることとした。しかし、電線４０は、例えば通信線等、電源線以外の電線であってもよい。
【０１１５】
また、上記実施の形態では、電気機器２０は、Ｘ軸プラス方向かつＹ軸マイナス方向側の端部に、大きなサイズ（大きな重量）の電気部品２２を有しており、第三エンド部材３０３の第一端部載置面３７３に大きな力がかかることとした。しかし、電気機器２０は、Ｘ軸マイナス方向かつＹ軸プラス方向側の端部に、大きなサイズ（大きな重量）の電気部品を有しており、第四エンド部材３０４の第一端部載置面３７４に大きな力がかかることにしてもよい。
【０１１６】
また、上記実施の形態では、第二蓄電ユニット１２に載置される部材として、電気機器２０を例示した。しかし、第二蓄電ユニット１２には、どのような部材が載置されてもよい。ただし、当該部材は、エンド部材３００のうちの面積が大きい載置面側の重量が大きいのが好ましい。
【０１１７】
また、上記実施の形態では、第二エンド部材３０２において、第二端部載置面３８２は、第一端部載置面３７２よりも面積が小さいこととした。しかし、第二端部載置面３８２は、第一端部載置面３７２と面積が同じ、または、第一端部載置面３７２よりも面積が大きいことにしてもよい。第二蓄電ユニット１２及び第三蓄電ユニット１３についても同様である。
【０１１８】
また、上記実施の形態では、蓄電装置１は、３つの蓄電ユニット１０を備えていることとした。しかし、蓄電装置１が備える蓄電ユニット１０の数は特に限定されず、第一蓄電ユニット１１及び第二蓄電ユニット１２しか配置されていなくてもよいし、４つ以上の蓄電ユニット１０が接続されて配置されていてもよい。つまり、第二蓄電ユニット１２に、他の蓄電ユニット１０が載置されていてもよいし、第三蓄電ユニット１３が、他の蓄電ユニット１０に載置されていてもよい。また、全ての蓄電ユニット１０が同じ形状を有している必要はなく、いずれかの蓄電ユニット１０が上記形状を有していなくてもよい。
【０１１９】
また、上記実施の形態では、エンド部材３００は、ダイカストによって作製されることとした。しかし、エンド部材３００は、ダイカストではなく、板金部材に凹凸構造を設けて強度を持たせた部材であり、第一端部載置面３７０及び第二端部載置面３８０を有している構成でもよい。
【０１２０】
また、上記実施の形態では、第一エンド部材３０１と第二エンド部材３０２とは同じ形状を有していることとした。しかし、第一エンド部材３０１と第二エンド部材３０２とは、異なる形状を有していることにしてもよい。
【０１２１】
また、上記実施の形態において、蓄電ユニット１０は、図３に示した構成要素を全て備えている必要はない。例えば、蓄電ユニット１０は、スペーサ２００、バスバー保持部材５００またはカバー部材７００を備えていなくてもよい。
【０１２２】
また、上記実施の形態及び上記変形例が備える各構成要素を任意に組み合わせて構築される形態も、本発明の範囲内に含まれる。
【０１２３】
また、本発明は、このような蓄電装置１として実現することができるだけでなく、蓄電装置１が備える蓄電ユニット１０（第一蓄電ユニット１１、第二蓄電ユニット１２等）、または、蓄電ユニット１０が備えるエンド部材３００（第一エンド部材３０１、第二エンド部材３０２、第三エンド部材３０３等）としても実現することができる。
【産業上の利用可能性】
【０１２４】
本発明は、リチウムイオン二次電池などの蓄電素子を有する蓄電ユニットを備えた蓄電装置等に適用できる。
【符号の説明】
【０１２５】
１  蓄電装置
１０  蓄電ユニット
１１  第一蓄電ユニット
１２  第二蓄電ユニット
１３  第三蓄電ユニット
２０  電気機器
２１  載置台
２２  電気部品
２３  基板
２４、３０、３０ａ、３０ｂ  コネクタ
４０、４０ａ、４０ｂ、４０ｃ  電線
１００  蓄電素子
１０１  第一蓄電素子
１０２  第二蓄電素子
１０３  第三蓄電素子
１１０  容器
１２０  電極端子
２００、２０１、２０２  スペーサ
３００  エンド部材
３０１  第一エンド部材
３０２  第二エンド部材
３０３  第三エンド部材
３０４  第四エンド部材
３１０、３１１、３１２  本体部
３１０ａ  第一壁部
３１０ｂ  補強部
３１０ｃ  第二壁部
３１０ｄ  第三壁部
３２０、３２１、３２２、３２３、３２４  第一接続部
３３０、３３１、３３２  接続部間凹部
３４０、３４１、３４２  第一端部凹部
３５０、３５１、３５２  第二端部凹部
３６０、３６１、３６２  中央部載置面
３７０、３７１、３７２、３７３、３７４  第一端部載置面
３８０、３８１、３８２、３８３、３８４  第二端部載置面
３９０、３９１、３９２、３９３、３９４  第二接続部
４００  サイド部材
４１０  接合部材
５００、５０１、５０２  バスバー保持部材
５１０  開口部
６００、６１０  バスバー
７００、７０１、７０２  カバー部材
【図１】
2020167137.tif 000003
【図２】
2020167137.tif 000004
【図３】
2020167137.tif 000005
【図４】
2020167137.tif 000006
【図５】
2020167137.tif 000007
【図６】
2020167137.tif 000008
【図７】
2020167137.tif 000009